(57)【特許請求の範囲】
【請求項１】
ベースに立設したガイド体に沿って上下動可能な本体に、ネジ部材を前記ガイド体と平行に遊挿させると共に、前記ネジ部材の遊挿部分に、前記本体に形成された有底孔内で回り止め状態でスライド可能に収容されて前記有底孔からの突出方向へ付勢され、前記ネジ部材との当接面に前記ネジ部材と噛合する雌ネジ部を形成したスライドボタンを設けて、前記ネジ部材の回転操作により前記ネジ部材の上下位置を変更可能としたルータであって、
前記スライドボタンの突出方向外端部に形成したネジ部に、前記ネジ部へのねじ込み操作によって前記本体に当接し、その当接後は軸方向への移動を規制されて前記スライドボタンを突出方向へネジ送り可能なナット部材を螺合させて、前記スライドボタンのネジ送りにより、前記雌ネジ部を前記ネジ部材へ押圧させて前記ネジ部材の回転をロック可能としたことを特徴とするルータ。
【請求項２】
ナット部材をキャップ状のツマミとする一方、スライドボタンのネジ部に第２有底孔を設けて、その第２有底孔内に、前記ツマミの内面に当接して前記スライドボタンの突出方向前方へ付勢するコイルバネを収容した請求項１に記載のルータ。
【発明の詳細な説明】
【０００１】
【発明の属する技術分野】
本発明は、ベースに立設したガイド体に沿って上下動可能な本体に、本体の下限位置を規制する切込量調整機構を備えたルータに関する。
【０００２】
【従来の技術】
ルータは、ベースに立設したガイド体に沿って上下動可能な本体を備え、本体を下降させることで、本体下部に装着したビットをベース中央の透孔から突出させ、ベース下方の被切削材を切削可能となっている。この場合、ビットのベースからの突出量（切込量）を一定に維持且つ調整できるように、本体には、下限位置を規制する切込量調整機構が備えられている。図５は、その切込量調整機構３０を示す断面説明図（上が横断面、下が縦断面を示す）もので、本体３１には、ガイド体３２と平行に透孔３３が形成され、その透孔３３に、ネジ部材としてのストッパポール３４のネジ部３５が遊挿されている。又、本体３１には、透孔３３と連通して直交する有底孔３７が形成され、有底孔３７に、ストッパポール３４のネジ部３５が遊挿し、ネジ部３５と同じリード角の雌ネジ部としてのネジ孔３９を透孔３３と平行に形成したスライドボタン３８が、コイルバネ４０によって前方（図５右側）への付勢状態で収納されている。
【０００３】
よって、常態では、前方へ付勢されるスライドボタン３８のネジ孔３９がストッパポール３４のネジ部３５と噛合するため、ストッパポール３４は当該位置で固定され、本体３１を下降させると、ネジ部３５の下端がベース上に立設されたストッパに当接し、当接位置で本体３１の下限、即ちビットの突出量が規制されることになる。
そして、突出量の調整を行う場合は、ストッパポール３４上端のつまみ部３６を回動操作すれば、ネジ部３５を上下にネジ送りさせて突出量の微調整が行え、スライドボタン３８をコイルバネ４０の付勢に抗して有底孔３７に押し込めば、ネジ部３５とネジ孔３９との噛合が解除されるため、透孔３３とネジ孔３９との中でネジ部３５を自由にスライドさせ、突出量を大幅に変更することができる。
【０００４】
【発明が解決しようとする課題】
上記切込量調整機構３０においては、ストッパポール３４の固定は、コイルバネ４０で付勢されるスライドボタン３８のネジ孔３９との噛合のみによっているから、ルータの使用時に過負荷等によって振動が発生すると、ストッパポール３４が自然に回転し、上下位置が変動してしまうおそれがある。又、ルータの操作中にスライドボタン３８を誤って押し込んでしまうことで、ネジ孔３９との噛合が解かれ、ストッパポール３４の上下位置が偶発的に変わってしまうおそれもある。このような上下位置の変動は加工精度の低下にも繋がる。
【０００５】
そこで、請求項１に記載の発明は、使用時の振動や偶発的な要因によるネジ部材の移動を防止し、設定した切込量を確実に維持できるルータを提供することを目的としたものである。
【０００６】
【課題を解決するための手段】
上記目的を達成するために、請求項１に記載の発明は、スライドボタンの突出方向外端部に形成したネジ部に、ネジ部へのねじ込み操作によって本体に当接し、その当接後は軸方向への移動を規制されてスライドボタンを突出方向へネジ送り可能なナット部材を螺合させて、スライドボタンのネジ送りにより、雌ネジ部をネジ部材へ押圧させてネジ部材の回転をロック可能としたことを特徴とするものである。
請求項２に記載の発明は、ナット部材をキャップ状のツマミとする一方、スライドボタンのネジ部に第２有底孔を設けて、その第２有底孔内に、ツマミの内面に当接してスライドボタンの突出方向前方へ付勢するコイルバネを収容したものである。
【０００７】
【発明の実施の形態】
以下、本発明の実施の形態を図面に基づいて説明する。
図１はルータの正面図で、ルータ１は、ベース２と本体３とからなり、本体３は、ベース２上に立設された２本のガイドバー４，４に遊挿されて上下動可能に支持され、本体３内でガイドバー４との間に設けられた図示しないコイルバネによって、上方へ付勢されている。５は上限位置を設定する上ストッパである。又、本体３は、中央に図示しないモータを内蔵し、下方へ突出した出力軸６に、ビットを着脱可能なチャック７を備え、本体３を下降させると、ビットがベース２中央の透孔を貫通してベース２の下方へ突出するものとなる。
更に、ベース２には、下ストッパ８が設けられている。下ストッパ８は、ベース２上に回動可能に設けられた円盤９と、その円盤９の上面へ同心円周上に立設された高さの異なる複数の六角ボルト１０，１０・・とからなり、当該円周上の所定位置の真上に、切込量調整機構１１におけるネジ部材としてのストッパポール１４が位置している。
【０００８】
切込量調整機構１１は、本体３の下降に伴い下ストッパ８の六角ボルト１０と干渉して、ビットのベース２からの突出量、即ち切込量を調整するためのもので、図２にも示す如く（上が横断面、下が縦断面を示す）、本体３の正面片側に突設される支持部１２に設けられる。支持部１２には、透孔１３がガイドバー４と平行に穿設され、その透孔１３に、ストッパポール１４のネジ部１５が遊挿している。１６はネジ部１５の上端に固定されたツマミ部である。
又、支持部１２には、透孔１３と直交状に連通して本体３の前面（図２の右側）に開口する断面四角形状の有底孔１７が形成され、その有底孔１７には、有底孔１７に嵌合する断面四角形状のスライドボタン１８が遊挿されている。スライドボタン１８は、ストッパポール１４のネジ部１５より大径且つネジ部１５と等しいリード角で、雌ネジ部としてのネジ孔１９を有し、そのネジ孔１９にネジ部１５が遊挿している。但し、スライドボタン１８は、有底孔１７の底部に収容されたコイルバネ２０によって、有底孔１７の開口側へ付勢されるため、常態では、ネジ孔１９の奥側がネジ部１５に当接し、両ネジの噛合によってストッパポール１４は上下移動を規制されることになる。
【０００９】
更に、スライドボタン１８の外端部には、第２ネジ部２１が形成され、その第２ネジ部２１に、ロック手段のナット部材としてキャップ状のツマミ２２が螺合している。ここでは、ツマミ２２を第２ネジ部２１にねじ込む方向へ右回転させると、スライドボタン１８が有底孔１７内で回り止めされることで、ツマミ２２が移動して支持部１２の前面に当接し、支持部１２への当接後はツマミ２２が軸方向へ移動規制されて、逆にスライドボタン１８が前方へネジ送りされる（有底孔１７から引き出される）ように構成したものである。
２３はスライドボタン１８の外端中心に形成された第２有底孔で、この第２有底孔２３に第２コイルバネ２４が収容されて、ツマミ２２の内面に当接し、ツマミ２２を前方へ付勢している。即ち、第２コイルバネ２４はツマミ２２の回転止めを行うものである。
【００１０】
以上の如く構成されたルータ１は、常態では、コイルバネ２０の付勢によりスライドボタン１８は前方へ突出し、ネジ孔１９をストッパポール１４のネジ部１５に噛合させる（図２）。よって、上端のツマミ部１６を右回転させると、ストッパポール１４は下方へ移動し、左回転させると、ストッパポール１４は上方へ移動し、任意に上下位置を調整できる。
上下位置の調整が終了すれば、そのままツマミ２２をスライドボタン１８へねじ込む。すると、図３の如くツマミ２２の端部が支持部１２の前面に当接してスライドボタン１８を前方へネジ送りするため、ネジ孔１９はより強い力でネジ部１５に押圧され、ストッパポール１４の回転はロックされる。よって、本体３を下降させると、ネジ部１５の下端が下ストッパ８の六角ボルト１０の頭部に当接する位置で停止し、この位置でベース２から突出するビットの突出量で切削加工が行える。このとき、ストッパポール１４はスライドボタン１８により強固に固定されているため、ルータ１に過負荷によって振動が発生してもストッパポール１４が回転することはなく、ツマミ２２を押してもスライドボタン１８は移動しない。
【００１１】
そして、再び上下位置の調整を行う場合は、ツマミ２２を緩めると、スライドボタン１８が後方へネジ送りされてネジ孔１９によるネジ部１５の押圧が解除されて図２の状態へ復帰するため、上端のツマミ部１６を回転させてストッパポール１４の上下位置を適宜調整できる。尚、調整量が大きい場合は、ストッパポール１４を手で把持した状態でツマミ２２を押してスライドボタン１８を有底孔１７へ押し込むと、図４のように、ネジ部１５とネジ孔とが同心になる位置で両者の噛合が解除されるため、ストッパポール１４をネジ孔１９内で干渉させずに自由に上下動可能となる。この際、同心となる位置でツマミ２２が支持部１２に当接するように、ツマミ２２を緩める量の目印等を支持部１２の前面との間に設けていれば、スライドボタン１８の押込みが常に適正に行え、操作性が良くなる。所定の上下位置でツマミ２２の押込みを解除すると、コイルバネ２０の付勢によってスライドボタン１８が突出し、再び図２のようにネジ部１５がネジ孔１９と噛合してストッパポール１４は当該位置で固定される。よって、ここから微調整を行った後、或いはそのままの位置で、先述と同様にツマミ２２をねじ込めば、ストッパポール１４のロックが可能となる。
【００１２】
このように上記形態によれば、スライドボタン１８をコイルバネ２０によるスライド方向へ更に付勢し、ネジ孔１９をネジ部１５へ押圧させてネジ部１５の回転をロックするツマミ２２を設けたことで、ストッパポール１４の確実な固定が可能となる。よって、ルータ１に振動が発生したり、誤ってスライドボタン１８が押されたりしてもストッパポール１４が移動することがなく、一旦設定した切込量は正確に維持されて加工精度への影響もなくなる。
又、ロック手段として上記ツマミ２２を採用しているから、ロック手段が簡単に構成できると共に、ネジ部１５の確実なロックが可能となってロック時の信頼性が高まる。
【００１３】
尚、上記形態では、ナット部材としてツマミ２２を用いているが、このようなツマミに代えて、基端をスライドボタンに螺合させたレバーとすることもできる。
【００１４】
【発明の効果】
請求項１に記載の発明によれば、スライドボタンの突出方向外端部に形成したネジ部に、ネジ部へのねじ込み操作によって本体に当接し、その当接後は軸方向への移動を規制されてスライドボタンを突出方向へネジ送り可能なナット部材を螺合させて、スライドボタンのネジ送りにより、雌ネジ部をネジ部材へ押圧させてネジ部材の回転をロック可能としたことで、ネジ部材の確実な固定が可能となる。よって、ルータに振動が発生したり、誤ってスライドボタンが押されたりしてもネジ部材が移動することがなく、一旦設定した切込量は正確に維持されて加工精度への影響もなくなる。特に、ナット部材のねじ込み操作でスライドボタンをネジ送りする構成としたことで、ネジ部材のロック手段が簡単に構成できると共に、ネジ部材のロック時の信頼性が高まる。
請求項２に記載の発明によれば、請求項１の効果に加えて、ナット部材をキャップ状のツマミとする一方、スライドボタンのネジ部に第２有底孔を設けて、その第２有底孔内に、ツマミの内面に当接してスライドボタンの突出方向前方へ付勢するコイルバネを収容したことで、ツマミの回転止めがなされる。
【図面の簡単な説明】
【図１】ルータの正面図である。
【図２】切込量調整機構の断面説明図である（ロック解除状態を示す）。
【図３】切込量調整機構の断面説明図である（ロック状態を示す）。
【図４】切込量調整機構の断面説明図である（スライドボタン押込み状態を示す）。
【図５】従来の切込量調整機構の断面説明図である。
【符号の説明】
１・・ルータ、２・・ベース、３・・本体、８・・下ストッパ、１１・・切込量調整機構、１４・・ストッパポール、１５・・ネジ部、１７・・有底孔、１８・・スライドボタン、１９・・ネジ孔、２０・・コイルバネ、２２・・ツマミ。
【図１】
0003694209.tif 000002
【図２】
0003694209.tif 000003
【図３】
0003694209.tif 000004
【図４】
0003694209.tif 000005
【図５】
0003694209.tif 000006